【手続補正書】
【提出日】平成18年4月14日(2006.4.14)
【手続補正１】
【補正対象書類名】明細書
【補正対象項目名】特許請求の範囲
【補正方法】変更
【補正の内容】
【特許請求の範囲】
【請求項１】
操作を行うための操作部と、
着信に対して応答しなかったことを示す不在着信を検出し、この不在着信が検出されることに基づいて、点滅または点灯することにより、前記不在着信があったことを通知する点灯部と、
前記不在着信が検出されることに基づいて、不在着信があったことを表示し、前記操作部による所定の操作に基づいて、不在着信があったことの表示を停止する表示部と
を有することを特徴とする携帯通信端末。
【請求項２】
前記点灯部は、
前記所定の操作に基づいて、前記不在着信があったことの通知を停止することを特徴とする請求項１に記載の携帯通信端末。
【請求項３】
複数種類の着信に対して応答しなかったことを示す不在着信を検出する検出手段と、
前記不在着信が検出されることに基づいて、点滅または点灯することにより、前記不在着信があったことを通知し、前記着信の種類に応じて前記点滅又は点灯の動作パターンを変えることが可能な点灯部と
を有することを特徴とする携帯通信端末。
【請求項４】
複数種類の着信に対して応答しなかったことを示す不在着信を検出する検出手段と、
前記不在着信が検出されることに基づいて、点滅または点灯することにより、前記不在着信があったことを通知し、前記着信の種類に応じて前記点滅または点灯の色を変えることが可能な点灯部と
を有することを特徴とする携帯通信端末。
【請求項５】
更に操作を行うための操作部を有し、
前記点灯部は、
前記操作部による所定の操作に基づいて、前記不在着信があったことの通知を停止することを特徴とする請求項３または請求項４に記載の携帯通信端末。
【請求項６】
メールを受信する受信手段と、
前記受信手段によってメール受信が検出されると、受信中である旨の情報を表示するための表示部と、
前記メール受信に対してメールを開封していないことを示す未読メールが存在することを検出し、この未読メールの存在が検出されることに基づいて、点滅または点灯することにより、前記未読メールの存在を通知する点灯部と
を有することを特徴とする携帯通信端末。
【請求項７】
メールを受信する受信手段と、
操作を行うための操作部と、
前記受信手段によるメール受信に対してメールを開封していないことを示す未読メールが存在することを検出し、この未読メールの存在が検出されることに基づいて、点滅または点灯することにより、前記未読メールの存在を通知する点灯部と、
前記未読メールの存在が検出されることに基づいて、未読メールの存在を表示し、前記操作部による所定の操作に基づいて、未読メールの存在の表示を停止する表示部と
を有することを特徴とする携帯通信端末。
【請求項８】
前記点灯部は、
前記所定の操作に基づいて、前記未読メールの存在の通知を停止することを特徴とする請求項７に記載の携帯通信端末。
【請求項９】
複数種類のメールを受信する受信手段と、
前記メール受信に対してメールを開封していないことを示す未読メールが存在することを検出する検出手段と、
前記未読メールの存在が検出されることに基づいて、点滅または点灯することにより、前記未読メールの存在を通知し、前記未読メールの種類に応じて前記点滅又は点灯の動作パターンを変えることが可能な点灯部と
を有することを特徴とする携帯通信端末。
【請求項１０】
複数種類のメールを受信する受信手段と、
前記メール受信に対してメールを開封していないことを示す未読メールが存在することを検出する検出手段と、
前記未読メールの存在が検出されることに基づいて、点滅または点灯することにより、前記未読メールの存在を通知し、前記未読メールの種類に応じて前記点滅または点灯の色を変えることが可能な点灯部と
を有することを特徴とする携帯通信端末。
【請求項１１】
メールを受信する受信手段と、
前記受信手段によるメール受信に対してメールを開封していないことを示す未読メールが存在することを検出し、この未読メールの存在が検出されることに基づいて、点滅または点灯することにより、前記未読メールの存在を通知する点灯部と、
前記未読メールの存在が検出されることに基づいて、未読メールの存在を表示し、所定の操作がなされると、未読メールの存在の表示を停止する表示部と
を有することを特徴とする携帯通信端末。
【請求項１２】
更に操作を行うための操作部を有し、
前記点灯部は、
前記操作部による所定の操作に基づいて、前記未読メールの存在の通知を停止することを特徴とする請求項９または請求項１０に記載の携帯通信端末。
【請求項１３】
メールを受信する受信手段と、
前記メール受信に対してメールを開封していないことを示す未読メールが存在することを検出すること、または着信に対して応答しなかったことを示す不在着信を検出することに基づいて、それぞれ点滅または点灯することにより前記未読メールの存在、または前記不在着信があったことを通知し、
未読メールの存在の通知の点滅又は点灯と、不在着信があったことの通知の点滅又は点灯との動作パターンが異なる点灯部と
を有することを特徴とする携帯通信端末。
【請求項１４】
メールを受信する受信手段と、
前記メール受信に対してメールを開封していないことを示す未読メールが存在することを検出すること、または着信に対して応答しなかったことを示す不在着信を検出することに基づいて、それぞれ点滅または点灯することにより前記未読メールの存在、または前記不在着信があったことを通知し、
未読メールの存在の通知の点滅又は点灯の色と、不在着信があったことの通知の点滅又は点灯の色とが異なる点灯部と
を有することを特徴とする携帯通信端末。
【請求項１５】
着信に対して応答しなかったことを示す不在着信を検出する検出手段と、
前記不在着信が検出されることに基づいて、点滅または点灯することにより、前記不在着信があったことを通知し、前記着信中の状態と、不在着信が検出された後の前記点滅又は点灯の態様が異なる点灯部と
を有することを特徴とする携帯通信端末。
【請求項１６】
着信に対して応答しなかったことを示す不在着信を検出する検出手段と、
着信があると、着信中である旨を表示し、前記不在着信が検出されることに基づいて、不在着信があったことを表示し、所定の操作に基づいて、不在着信があったことの表示を停止する表示部と、
前記着信中は消灯し、前記不在着信が検出されることに基づいて、点滅または点灯することにより、前記不在着信があったことを通知する点灯部と
を有することを特徴とする携帯通信端末。
【手続補正２】
【補正対象書類名】明細書
【補正対象項目名】００１１
【補正方法】変更
【補正の内容】
【００１１】
そこで本発明はこれらの問題点を除去し、不在着信又は未読メール着信があった場合にこれらを表示させることができ、ユーザーに対し、より認識性を向上させた携帯通信端末を提供することを目的とする。
【手続補正３】
【補正対象書類名】明細書
【補正対象項目名】００１２
【補正方法】変更
【補正の内容】
【００１２】
【課題を解決するための手段】
本発明に係る携帯通信端末は、操作を行うための操作部と、着信に対して応答しなかったことを示す不在着信を検出し、この不在着信が検出されることに基づいて、点滅または点灯することにより、前記不在着信があったことを通知する点灯部と、前記不在着信が検出されることに基づいて、不在着信があったことを表示し、前記操作部による所定の操作に基づいて、不在着信があったことの表示を停止する表示部とを有することを特徴とする。
【手続補正４】
【補正対象書類名】明細書
【補正対象項目名】００１３
【補正方法】変更
【補正の内容】
【００１３】
また、本発明に係る携帯通信端末は、メールを受信する受信手段と、前記受信手段によってメール受信が検出されると、受信中である旨の情報を表示するための表示部と、前記メール受信に対してメールを開封していないことを示す未読メールが存在することを検出し、この未読メールの存在が検出されることに基づいて、点滅または点灯することにより、前記未読メールの存在を通知する点灯部とを有することを特徴とする。
【手続補正５】
【補正対象書類名】明細書
【補正対象項目名】００１４
【補正方法】変更
【補正の内容】
【００１４】
また、本発明に係る携帯通信端末は、メールを受信する受信手段と、前記メール受信に対してメールを開封していないことを示す未読メールが存在することを検出すること、または着信に対して応答しなかったことを示す不在着信を検出することに基づいて、それぞれ点滅または点灯することにより前記未読メールの存在、または前記不在着信があったことを通知し、未読メールの存在の通知の点滅又は点灯の色と、不在着信があったことの通知の点滅又は点灯の色とが異なる点灯部とを有することを特徴とする。
【手続補正６】
【補正対象書類名】明細書
【補正対象項目名】００１５
【補正方法】変更
【補正の内容】
【００１５】
また、本発明に係る携帯通信端末は、着信に対して応答しなかったことを示す不在着信を検出する検出手段と、前記不在着信が検出されることに基づいて、点滅または点灯することにより、前記不在着信があったことを通知し、前記着信中の状態と、不在着信が検出された後の前記点滅又は点灯の態様が異なる点灯部とを有することを特徴とする。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００３８
【補正方法】変更
【補正の内容】
【００３８】
【発明の効果】
以上説明したように、本発明の携帯通信端末によれば、不在着信またはメール着信があったことを通知する点灯装置を設けることにより、不在着信時、未読メール受信時に、各々の着信後において離れた場所からや暗い場所での確認も可能となる。更に、点灯装置の点灯又は点滅の動作状態を変えることにより、認識情報の幅を広げることが出来、本発明の応用性も向上する。